(57)【要約】【課題】ユーザの煩雑な作業を必要とすることなく複数の画像に含まれる波形の比較等を容易に行うことができる画像データの出力が可能な波形出力装置及び波形出力方法を提供する。【解決手段】波形測定装置１は、表示部２０に表示される画像の画像データであって、所定のフォーマット（例えば、ＰＮＧフォーマット、ＧＩＦフォーマット、ＪＰＥＧフォーマット等）に変換された画像データを外部に出力する出力部１８と、出力部１８から出力すべき画像データのフォーマットが透明色を取り扱うことができるフォーマットである場合に、画像データの背景色を透明色に変換する画像変化部２３とを備える。【選択図】図２
2010096821.tif 000002
【特許請求の範囲】
【請求項１】
波形を含む画像の画像データを所定の形式で出力する波形出力装置において、
出力すべき画像データの形式が透明色を取り扱うことができる形式である場合に、前記画像データの背景色を透明色に変換する変換部を備えることを特徴とする波形出力装置。
【請求項２】
前記画像データの背景色を前記変換部によって透明色に変換するか否かを設定する設定部を備えることを特徴とする請求項１記載の波形出力装置。
【請求項３】
前記変換部は、二値の画像データを出力すべき設定がなされている場合には、前記画像データを二値化するとともに、前記画像データの背景色の白を透明色に変換することを特徴とする請求項１又は請求項２記載の波形出力装置。
【請求項４】
前記変換部は、カラーの画像データを出力すべき設定がなされている場合には、前記画像データの背景色を透明色に変換することを特徴とする請求項１又は請求項２記載の波形出力装置。
【請求項５】
前記変換部は、前記画像データの色を管理するカラーパレットにおける前記画像データの背景色を透明色に設定することにより、前記画像データの背景色を透明色に変換することを特徴とする請求項１から請求項４の何れか一項に記載の波形出力装置。
【請求項６】
波形を含む画像の画像データを所定の形式で出力する波形出力方法であって、
出力すべき画像データの形式が透明色を取り扱うことができる形式であるか否かを判断する第１ステップと、
前記第１ステップで透明色を取り扱うことができる形式であると判断した場合に、前記画像データの背景色を透明色に変換する第２ステップと、
前記第２ステップで背景色が透明色に変換された前記画像データを出力する第３ステップと
を含むことを特徴とする波形出力方法。
【発明の詳細な説明】
【技術分野】
【０００１】
本発明は、波形を含む画像の画像データを所定の形式で出力する波形出力装置及び波形出力方法に関する。
【背景技術】
【０００２】
オシロスコープやスペクトラムアナライザー等の波形測定装置は、周知の通り、電気信号の経時的な変化や周波数分布等を示す波形をＣＲＴ（Cathode Ray Tube）やＬＣＤ（Liquid Crystal Display）等のディスプレイに表示するものであり、ユーザが波形測定装置のディスプレイに表示された波形を観察して電気信号の異常の有無等を判断する。近年開発されている波形測定装置の多くは、ディスプレイに表示された波形の画像データを外部に出力可能な出力インターフェイスを備えている。この出力インターフェイスを介して出力される波形の画像データは、例えばパーソナルコンピュータを用いた波形の比較や高度な解析、レポートやプレゼンテーション資料の作成等に用いられる。
【０００３】
また、近年の波形測定装置の多くには、ユーザの操作性や利便性を向上させるために、タッチパネル及びＧＵＩ（Graphical User Interface：グラフィカル・ユーザ・インターフェイス）が実装されている。このため、波形測定装置のディスプレイには、測定された波形、グリッド、縦軸及び横軸のスケールを示す情報等以外に、ユーザによって操作される各種メニュー等も表示される。しかも、これらはユーザの視認性を高めるためにカラー表示により色分け表示される。カラー表示可能な従来の波形測定装置では、カラーのままの画像データを出力するか、又は白黒の二値に変換した画像データを出力するかをユーザの操作に応じて選択可能である。
【０００４】
尚、ディスプレイに表示される波形の画像データを出力可能な従来の波形測定装置の詳細については、例えば以下の特許文献１を参照されたい。
【特許文献１】特開２００３−３４４４５３号公報
【発明の開示】
【発明が解決しようとする課題】
【０００５】
ところで、上述した出力インターフェイスを介して出力される画像データは、基本的にはディスプレイに表示される画像データである。このため、上記の出力インターフェイスを介してカラーのままの画像データを出力する場合には、背景色（バックグラウンド色）を有する画像データが出力されることになる。また、白黒の二値に変換された画像データを出力する場合においても、白の背景色を有する画像データが出力されることになる。
【０００６】
パーソナルコンピュータを用いた波形の比較や高度な解析を行う場合、及びレポートやプレゼンテーション資料の作成を行う場合の何れの場合においても、複数の波形の比較を行うために、波形測定装置から出力された波形の画像データの重ね合わせが必要になることが多々ある。しかしながら、波形測定装置から出力される波形の画像データが背景色を有するものである場合には、単純に複数の画像データを重ね合わせただけでは、重ね合わせの下側に位置する画像データが重ね合わせの上側に位置する画像データで覆われてしまい、重ね合わせの下側に位置する画像データを参照することができなくなる。
【０００７】
また、パーソナルコンピュータで画像データを取り扱うことのできるペイント系のアプリケーションを用いて画像データの背景色を取り除く作業を行い、背景色が取り除かれた画像データの重ね合わせを行えば、重ね合わされた画像データの各々を参照することが可能になる。しかしながら、背景色を取り除く作業は極めて煩雑且つ面倒であり、取り扱う画像データの数が多数である場合には作業に長時間を要するため、極めて非効率であるという問題がある。
【０００８】
本発明は上記事情に鑑みてなされたものであり、ユーザの煩雑な作業を必要とすることなく複数の画像に含まれる波形の比較等を容易に行うことができる画像データの出力が可能な波形出力装置及び波形出力方法を提供することを目的とする。
【課題を解決するための手段】
【０００９】
上記課題を解決するために、本発明の波形出力装置は、波形を含む画像の画像データを所定の形式で出力する波形出力装置において、出力すべき画像データの形式が透明色を取り扱うことができる形式である場合に、前記画像データの背景色を透明色に変換する変換部（２３）を備えることを特徴としている。
この発明によると、出力すべき画像データの形式が透明色を取り扱うことができる形式である場合には、画像データの背景色が透明色に変換された上で、所定の形式で出力される。
また、本発明の波形出力装置は、前記画像データの背景色を前記変換部によって透明色に変換するか否かを設定する設定部（１７）を備えることを特徴としている。
また、本発明の波形出力装置は、前記変換部が、二値の画像データを出力すべき設定がなされている場合には、前記画像データを二値化するとともに、前記画像データの背景色の白を透明色に変換することを特徴としている。
或いは、本発明の波形出力装置は、前記変換部が、カラーの画像データを出力すべき設定がなされている場合には、前記画像データの背景色を透明色に変換することを特徴としている。
また、本発明の波形出力装置は、前記変換部が、前記画像データの色を管理するカラーパレットにおける前記画像データの背景色を透明色に設定することにより、前記画像データの背景色を透明色に変換することを特徴としている。
本発明の波形出力方法は、波形を含む画像の画像データを所定の形式で出力する波形出力方法であって、出力すべき画像データの形式が透明色を取り扱うことができる形式であるか否かを判断する第１ステップ（Ｓ１３、Ｓ２２）と、前記第１ステップで透明色を取り扱うことができる形式であると判断した場合に、前記画像データの背景色を透明色に変換する第２ステップ（Ｓ１５、Ｓ１９、Ｓ２４）と、前記第２ステップで背景色が透明色に変換された前記画像データを出力する第３ステップ（Ｓ２０）とを含むことを特徴としている。
【発明の効果】
【００１０】
本発明によれば、出力すべき画像データの形式が透明色を取り扱うことができる形式である場合には、画像データの背景色を透明色に変換した上で所定の形式で出力しているため、複数の画像データに係る画像の重ね合わせを行っても画像の各々に含まれる波形を参照することができる。この結果として、ユーザは煩雑な作業をする必要なく複数の画像に含まれる波形の比較等を容易に行うことができるという効果がある。
【発明を実施するための最良の形態】
【００１１】
以下、図面を参照して本発明の一実施形態による波形出力装置及び波形出力方法について詳細に説明する。図１は、本発明の一実施形態による波形出力装置を備える波形測定装置の正面図である。尚、本実施形態では、波形出力装置が波形測定装置の一種であるオシロスコープに設けられた態様について説明する。図１に示す通り、波形測定装置１は、その正面に入力端子部２、複数の操作キー３、及びディスプレイ４を備える。
【００１２】
入力端子部２は複数の入力端子２ａ〜２ｄを備えており、各々の入力端子２ａ〜２ｄには必要に応じてプローブ（図示省略）が接続される。つまり、図１に示す波形測定装置１は、４種類の波形（４チャネル）の同時測定が可能である。操作キー３は、ユーザの指示を波形測定装置１に入力するためのものであり、ユーザによって操作される複数のプッシュボタン、回転ノブ等を備えている。
【００１３】
ディスプレイ４は、例えば液晶表示装置又はＣＲＴ（Cathode Ray Tube）であり、測定された波形やユーザによって操作される各種メニュー等が表示される。尚、ディスプレイ４にはタッチパネル（図示省略）が設けられており、ユーザがディスプレイ４の表示画面を押圧することにより画面に表示された各種メニューの操作が可能になっている。
【００１４】
図２は、本発明の一実施形態による波形出力装置を備える波形測定装置の要部構成を示すブロック図である。図２に示す通り、波形測定装置１は、Ａ／Ｄ変換部１１、波形データメモリ１２、制御部１３、ハードディスク１４、ＲＯＭ（Read Only Memory）１５、ＲＡＭ（Random Access Memory）１６、操作部１７（設定部）、出力部１８、表示制御部１９、及び表示部２０を備える。
【００１５】
Ａ／Ｄ変換部１１は、入力端子Ｔ１（図１に示す入力端子部２に設けられた入力端子２ａ〜２ｄの何れか）から入力される信号に対して標本化及び量子化を行い、その信号をディジタル信号の波形データに変換する。尚、上述の通り、図１に示す波形測定装置１は４チャネルの同時測定が可能であるため、Ａ／Ｄ変換部１１は入力端子の数に応じた数だけ（４つ）設けられているが、図２においては図示の簡略化のために１つのみを図示している。
【００１６】
波形データメモリ１２は、Ａ／Ｄ変換部１１から出力される波形データを記憶するＲＡＭ等からなるメモリ（アクイジションメモリ）である。制御部１３は、波形測定装置１の動作を統括的に制御する。例えば、波形データメモリ１２に記憶された波形データの読み出し制御を行い、読み出した波形データの解析処理を行う。また、操作部１７から入力されるユーザの指示に応じた波形データや各種メニューの表示制御を行う。更に、操作部１７から入力されるユーザの指示に応じて、表示部２０（ディスプレイ４）に表示された画像の画像データを外部に出力する制御を行う。
【００１７】
具体的に、制御部１３は、波形解析部２１、波形表示部２２、及び画像変換部２３（変換部）を備える。波形解析部２１は、波形データメモリ１２に記憶された波形データを読み出して波形解析を行い、ピーク値（最大ピーク値及び最小ピーク値）や周波数等を求める。波形表示部２２は、波形データメモリ１２に記憶された波形データを読み出し、その波形データを表示用のデータに加工した上で表示制御部１９に出力し、表示制御部１９に表示データを表示させる。
【００１８】
画像変換部２３は、表示部２０に表示された画像の画像データを、出力部１８から出力すべき所定の形式（フォーマット）の画像データに変換する。具体的に、画像変換部２３は、出力部１８から出力される画像データの背景色を透明色にすべき設定がなされている場合には、画像データの背景色を透明色に変換する。また、表示部２０に表示された画像の画像データを、ＰＮＧ（Portable Network Graphics），ＧＩＦ（Graphics Interchange Format），ＢＭＰ（Bit MaP），ＪＰＥＧ（Joint Photographic Experts Group）等のフォーマットの画像データに変換する。
【００１９】
但し、上記のＰＮＧ，ＧＩＦ，ＢＭＰなるフォーマットは透明色を取り扱うことができるフォーマットであるが、ＪＰＥＧなるフォーマットは透明色を取り扱うことができないフォーマットである。このため、画像変換部２３は、出力部１８から出力される画像データのフォーマットがＰＮＧ，ＧＩＦ等の透明色を取り扱うことができるフォーマットである場合にのみ、画像データの背景色を透明色に変換する。
【００２０】
ここで、表示部２０に表示される画像は、通常はカラーの画像である。このため、画像変換部２３は、出力部１８から二値の画像データを出力すべき設定がなされている場合には、表示部２０に表示された画像の画像データを二値化する。また、出力部１８から出力される画像データの背景色を透明色にすべき設定がなされている場合には、画像データの背景色の白を透明色に変換する。
【００２１】
これに対し、出力部１８からカラーの画像データを出力すべき設定がなされている場合には、画像変換部２３は、表示部２０に表示された画像の画像データの色味を変える処理は行わない。また、出力部１８から出力される画像データの背景色を透明色にすべき設定がなされている場合には、画像データの背景色を透明色に変換する。例えば、背景色が青色である場合には、青色を透明色に変換する。
【００２２】
表示部２０に表示される画像の色は、ＲＡＭ１６に記憶されるカラーパレットＣＰを用いて管理される。画像変換部２３は、出力部１８から二値の画像データを出力すべき設定がなされている場合には、カラーパレットで用いる色を白と黒のみにすることにより表示部２０に表示された画像の画像データを二値化し、また画像データの背景色である白を透明色に設定する。出力部１８からカラーの画像データを出力すべき設定がなされている場合には、画像変換部２３は、カラーパレットにおける画像データの背景色を透明色に設定することにより、画像データの背景色を透明色に変換する。
【００２３】
ハードディスク１４は、制御部１３の波形解析部２１の解析結果、その他の各種データを記録する。また、波形測定装置１の電源が遮断された後もカラーパレットＣＰの内容を保存する必要がある場合には、ＲＡＭ１６に記憶されカラーパレットＣＰがハードディスク１４に記録される。ＲＯＭ１５は、制御部１３で用いられる各種プログラムを記憶する。例えば、制御部１３がＣＰＵ（中央処理装置）で実現される場合には、図２中の波形解析部２１、波形表示部２２、及び画像変換部２３を実現するためのプログラムが記憶される。ＲＡＭ１６は、前述したカラーパレットＣＰや制御部１３で行われる処理で用いられる各種データを一時的に記憶する。
【００２４】
操作部１７は、図１に示す操作キー３を備えており、ユーザの指示を示す指示情報を制御部１３に出力する。ユーザが操作部１７に対して所定の操作を行えば、出力部１８から出力すべき画像データのフォーマットの設定、出力部１８から出力すべき画像データの種類（二値の画像データ又はカラーの画像データ）の設定、出力部１８から出力すべき画像データの背景色を透明色にするか否かの設定等の各種設定を行うことができる。
【００２５】
出力部１８は、制御部１３の制御下において、表示部２０に表示される画像データ（画像変換部２３で変換処理が行われた画像データを含む）を外部に出力する。具体的に、出力部１８は、ＳＤ（登録商標）メモリ、ＣＦ（CompactFlash）メモリ、ＵＳＢ（Universal Serial Bus）メモリ等の波形測定装置１に着脱可能な不揮発性のリムーバブルメモリに対して画像データを書き込む書込部（図示省略）を備える。出力部１８の書込部によって画像データが書き込まれたリムーバブルメモリを波形測定装置１から取り外せば、上記の画像データが波形測定装置１の外部に出力されることになる。
【００２６】
尚、上記のリムーバブルメモリに代えて、ハードディスクやフレキシブルディスク等の磁気ディスク、ＣＤ−Ｒ等の光ディスク、ＭＯディスク等の光磁気ディスク等の記録媒体に画像データを書き込むことも可能である。また、有線又は無線でネットワークを介した通信を可能とする通信部を出力部１８に設ければ、上記の各種記録媒体に対する書き込みを行うこと無く、画像データのネットワークを介した出力（送信）も可能である。
【００２７】
表示制御部１９は、制御部１３の制御の下で、表示部２０に表示する表示内容の制御を行う。例えば、制御部１３から波形データが出力された場合には、その波形データを表示部２０に表示する。また、波形データに加えて各種のメニューが出力された場合には、波形データとともに各種のメニューを表示する。表示部２０は、図１に示すディスプレイ４を備えており、測定した波形データ等の各種データを表示する。
【００２８】
次に、上記構成における波形測定装置１の動作について説明する。以下では、まず被測定信号の測定時の動作について簡単に説明し、次いで表示部２０に表示された被測定信号の波形データの出力時の動作について説明する。
【００２９】
〔被測定信号測定時の動作〕
波形測定装置１を用いた被測定信号の測定に先だって、ユーザは波形測定装置１の電源を投入して操作キー３（図１参照）を操作して各種初期設定を行う。例えば、表示部２０における表示画面の横方向及び縦方向のスケール、オフセット等の設定、メニューの表示・非表示の設定等の表示部２０に表示させる表示内容の設定等の各種設定を行う。ユーザが操作キー３を操作して入力した設定内容は操作部１７から制御部１３に入力され、その設定内容に応じた初期処理が行われる。
【００３０】
初期設定が完了し、ユーザが波形測定装置１に設けられた入力端子部２の入力端子２ａ〜２ｄの少なくとも１つに接続されたプローブの先端を被測定部に電気的に接続させることにより波形データの取り込みが開始される。プローブを介して図２に示す入力端Ｔ１から入力された信号は、Ａ／Ｄ変換部１１で標本化及び量子化が行われて二値化され、ディジタル信号である波形データに変換される。Ａ／Ｄ変換部１１から出力される波形データは波形データメモリ１２に記憶される。
【００３１】
波形データメモリ１２に記憶された波形データは、制御部１３によって順次読み出され、波形表示部２２によって表示用のデータに加工された上で表示制御部１９に出力され、表示制御部１９によって表示部２０に表示される。以上の処理により、被測定信号の波形がディスプレイ４に表示される。
【００３２】
〔画像データ出力時の動作〕
図３は、波形測定装置１から画像データを出力する際の動作を示すフローチャートである。図３に示すフローチャートの処理は、ユーザが操作部１７を操作して波形測定装置１に対して印刷指示を行うことにより開始される。尚、ここでは、説明を簡単にするために、表示部２０に表示された画像の画像データを出力するために必要な各種設定は予めユーザによって設定されているものとする。
【００３３】
つまり、出力部１８から出力すべき画像データのフォーマット（ＰＮＧフォーマット、ＧＩＦフォーマット、ＪＰＥＧフォーマット等）の設定、出力部１８から出力すべき画像データの種類（二値の画像データ又はカラーの画像データ）の設定、出力部１８から出力すべき画像データの背景色を透明色にするか否かの設定等の各種設定は、上記の印刷指示の前に予めユーザによって設定されているものとする。尚、ユーザが上記の印刷指示を行った後に、以上の各種設定を変更できるようにすればユーザの利便性が高まる。
【００３４】
処理が開始されると、まず制御部１３によって、出力部１８から出力すべき画像データが二値の画像データであるか否かが判断される（ステップＳ１１）。二値の画像データを出力すべき旨の設定がユーザによってなされている場合には、ステップＳ１１の判断が「ＹＥＳ」になり、表示部２０に表示された画像の画像データから二値の画像データを作成する処理が開始される。
【００３５】
二値の画像データを作成する処理が開始されると、まず制御部１３の制御の下で、出力部１８から出力すべき画像データを作成するために用いられる画像作成領域がＲＡＭ１６内に確保されるとともに、その画像作成領域が画像データにおける白色を示すデータで初期化される。また、ＲＡＭ１６に記憶されたカラーパレットＣＰを白と黒とからなる二値に設定する処理が画像変換部２３によって行われる（ステップＳ１２）。
【００３６】
次に、出力部１８から出力すべき画像データのフォーマットが透過色を扱うことができるフォーマットであるか否かが画像変換部２３によって判断される。具体的には、出力部１８から出力すべき画像データのフォーマットとしてＰＮＧフォーマット又はＧＩＦフォーマットが設定されているか否かが判断される（ステップＳ１３）。ＰＮＧフォーマット又はＧＩＦフォーマットが設定されている場合にはステップＳ１３の判断結果が「ＹＥＳ」になり、背景色を透明色に変換する設定がなされているか否かが判断される（ステップＳ１４）。
【００３７】
背景色を透明色に変換する設定がユーザによってなされている場合にはステップＳ１４の判断結果が「ＹＥＳ」になり、画像変換部２３によってカラーパレットＣＰの白色が透明色（白の透明色）に設定される（ステップＳ１５）。尚、ステップＳ１３，Ｓ１４の判断結果の何れか一方が「ＮＯ」である場合には、ステップＳ１５の処理は省略され、カラーパレットＣＰの白色が透明色に設定されることはない。
【００３８】
次いで、制御部１３の制御の下で、波形データの読み出しが行われてＲＡＭ１６内に確保された画像作成領域に書き込む処理が行われる（ステップＳ１６）。ここで、波形データの読み出しは表示の優先順位（この優先順位は予め設定されている）の低いチャネルから開始される。また、波形データが表示部２０に表示されていないチャネル（表示がオフ状態であるチャネル）については波形データの読み出し処理は省略される。
【００３９】
ステップＳ１６の処理が終了すると、全チャネルについて波形データの読み出し処理が終了したか否かが制御部１３によって判断される（ステップＳ１７）。波形データの読み出し処理が行われていないチャネルがある場合にはステップＳ１７の判断結果が「ＮＯ」になり、ステップＳ１６の処理が繰り返される。これに対し、全チャネルについて波形データの読み出し処理が終了すると、ステップＳ１７の判断結果が「ＹＥＳ」になる。
【００４０】
すると、制御部１３の制御の下で表示部２０に表示されているメニュー及び文字のデータが読み出され、ＲＡＭ１６内に確保された画像作成領域に書き込む処理が行われる（ステップＳ１８）。これにより、被測定信号の波形とともに表示部２０に表示されているメニュー及び文字のデータが波形データに追加され、出力部１８から出力すべき画像データで形成される画像の内容が表示部２０に表示されている画像の内容と同等になる。
【００４１】
以上の処理が終了すると、ＲＡＭ１６内に確保された画像作成領域に書き込まれたデータ及びカラーパレットＣＰが読み出され、画像変換部２３において、画像作成領域から読み出されたデータを出力部１８から出力すべき画像データに変換する処理が行われる（ステップＳ１９）。具体的には、まず画像作成領域から読み出されたデータをカラーパレットＣＰに従って二値化する処理が行われ、次いで二値化されたデータを、設定されたフォーマットの画像データ（例えば、ＰＮＧフォーマットの画像データ）に変換する処理が行われる。以上の処理が終了すると、画像変換部２３で変換された画像データが出力部１８に出力されて不揮発性のリムーバブルメモリ等に書き込まれることにより、変換された画像データの出力が行われる（ステップＳ２０）。
【００４２】
他方、カラーの画像データを出力すべき旨の設定がユーザによってなされている場合には、ステップＳ１１の判断が「ＮＯ」になり、表示部２０に表示された画像の画像データからカラーの画像データを作成する処理が開始される。カラーの画像データを作成する処理が開始されると、まず制御部１３の制御の下で、出力部１８から出力すべき画像データを作成するために用いられる画像作成領域がＲＡＭ１６内に確保される。また、ＲＡＭ１６に記憶されたカラーパレットＣＰの読み出しが画像変換部２３によって行われる（ステップＳ２１）。
【００４３】
次に、出力部１８から出力すべき画像データのフォーマットが透過色を扱うことができるフォーマットであるか否かが画像変換部２３によって判断される。具体的には、出力部１８から出力すべき画像データのフォーマットとしてＰＮＧフォーマット又はＧＩＦフォーマットが設定されているか否かが判断される（ステップＳ２２）。ＰＮＧフォーマット又はＧＩＦフォーマットが設定されている場合にはステップＳ２２の判断結果が「ＹＥＳ」になり、背景色を透明色に変換する設定がなされているか否かが判断される（ステップＳ２３）。
【００４４】
背景色を透明色に変換する設定がユーザによってなされている場合にはステップＳ２３の判断結果が「ＹＥＳ」になり、画像変換部２３によってカラーパレットＣＰにおける画像データの背景色が透明色に設定される（ステップＳ２４）。かかる設定によって、画像データの背景色は、その色味が変えられることなく透明度が高められた透明色に変換されることになる。尚、ステップＳ２３，Ｓ２４の判断結果の何れか一方が「ＮＯ」である場合には、ステップＳ２４の処理は省略され、カラーパレットＣＰにおける画像データの背景色が透明色に設定されることはない。
【００４５】
次に、制御部１３の制御の下で、各チャネルの波形データの読み出しが行われてＲＡＭ１６内に確保された画像作成領域に書き込む処理が行われる（ステップＳ１６，Ｓ１７）。次いで、制御部１３の制御の下で表示部２０に表示されているメニュー及び文字のデータが読み出され、ＲＡＭ１６内に確保された画像作成領域に書き込む処理が行われる（ステップＳ１８）。
【００４６】
以上の処理が終了すると、ＲＡＭ１６内に確保された画像作成領域に書き込まれたデータ及びカラーパレットＣＰが読み出され、画像変換部２３において、画像作成領域から読み出されたデータを出力部１８から出力すべき画像データに変換する処理が行われる（ステップＳ１９）。そして、変換処理が終了すると、画像変換部２３で変換された画像データが出力部１８に出力されて不揮発性のリムーバブルメモリ等に書き込まれることにより、変換された画像データの出力が行われる（ステップＳ２０）。
【００４７】
ユーザが、画像データが書き込まれたリムーバブルメモリを波形測定装置１から取り外し、例えばパーソナルコンピュータに装着して画像データを読み出す操作を行えば、波形の比較や高度な解析、或いはレポートやプレゼンテーション資料の作成を行うことができる。図４は、本発明の一実施形態による波形測定装置から出力される画像データの表示例を示す図である。
【００４８】
図４（ａ）及び図４（ｂ）に示す画像Ｉｍ１，Ｉｍ２は、ユーザが所定の時間間隔をもって波形測定装置１に対して印刷指示を２回行ったときに波形測定装置１から順に出力された画像データを表示して得られる画像である。尚、図３を用いて説明した通り、波形測定装置１から出力される画像データには、表示部２０に表示されるメニューや文字のデータも含まれることがあるが、図４においては説明を簡単にするためにこれらの図示を省略している。
【００４９】
図４（ａ）に示す通り、画像Ｉｍ１には２つのチャネルの波形ＷＦ１１，ＷＦ１２が含まれている。同様に、図４（ｂ）に示す通り、画像Ｉｍ２には２つのチャネルの波形ＷＦ２１，ＷＦ２２が含まれている。また、画像Ｉｍ１，Ｉｍ２に係る画像データが波形測定装置１から出力されるときに、波形測定装置１において画像データの背景色を透明色にすべき設定がなされている場合には、画像Ｉｍ１，Ｉｍ２の各々の背景色は透明色に設定されている。
【００５０】
背景色が透明色に設定された画像Ｉｍ１と画像Ｉｍ２とを重ね合わせれば、図４（ｃ）に示す通り、重ね合わせの下側に位置する画像（例えば、画像Ｉｍ２）が重ね合わせの上側に位置する画像（例えば、画像Ｉｍ１）を透過して表示される。このため、従来のように、重ね合わせの下側に位置する画像が重ね合わせの上側に位置する画像によって覆われて、重ね合わせの下側に位置する画像データを参照することができなくなるといった事態は生ずることはなく、重ね合わされた画像Ｉｍ１に含まれる波形ＷＦ１１，ＷＦ１２と画像Ｉｍ２に含まれる波形ＷＦ２１，ＷＦ２２との双方を参照することができる。
【００５１】
また、図４（ａ）及び図４（ｂ）に示す通り、画像Ｉｍ１と画像Ｉｍ２とを重ね合わせずに並べて表示した場合には、波形ＷＦ１１と波形ＷＦ２１との間に変化が生じているか否か、及び波形ＷＦ１２と波形ＷＦ２２との間に変化が生じているか否かを明確に把握することは困難である。これに対し、図４（ｃ）に示す通り、画像Ｉｍ１と画像Ｉｍ２とを重ね合わせて表示した場合には、波形ＷＦ１２と波形ＷＦ２２との間には変化が生じておらず、波形ＷＦ１１と波形ＷＦ２２との間には僅かな変化が生じていることを明確に把握することができる。これにより、波形の比較や解析をユーザが短時間で容易に行うことが可能になる。
【００５２】
以上、本発明の一実施形態による波形出力装置及び波形出力方法について説明したが、本発明は上記実施形態に制限されることなく、本発明の範囲内で自由に変更が可能である。例えば、上記実施形態では、図３を用いて説明した通り、波形データに対してメニュー及び文字のデータを追加する処理（ステップＳ１８）を行っていたが、かかる処理を省略して、波形データのみ（或いは、波形データに縦軸及び横軸を示すデータのみが加えられたデータ）を画像データに変換しても良い。
【００５３】
また、上記実施形態では、画像データの背景色の全体を透明色にする場合を例に挙げたが、画像データの背景色の一部を透明色にする場合にも本発明を適用することができる。例えば、表示部２０に表示される画像のうち、波形が表示される波形表示領域の背景色のみを透明色にし、波形表示領域以外の他の領域（例えば、メニュー等が表示される領域）の背景色は透明色にしないことも可能である。
【００５４】
また、上記実施形態では、本発明の波形出力装置が波形測定装置の一種であるオシロスコープに組み込まれた態様について説明したがオシロスコープ以外の他の波形測定装置に設けることも可能である。尚、他の波形測定装置としては、スペクトラムアナライザー、シリアルバスアナライザー、ロジックアナライザー、チャートレコーダ、電力計等の波形測定装置が挙げられる。更に、本発明の波形出力装置は、波形測定装置に組み込まれた態様に限られずコンピュータに組み込まれる態様での適用も可能である。
【図面の簡単な説明】
【００５５】
【図１】本発明の一実施形態による波形出力装置を備える波形測定装置の正面図である。
【図２】本発明の一実施形態による波形出力装置を備える波形測定装置の要部構成を示すブロック図である。
【図３】波形測定装置１から画像データを出力する際の動作を示すフローチャートである。
【図４】本発明の一実施形態による波形測定装置から出力される画像データの表示例を示す図である。
【符号の説明】
【００５６】
１      波形測定装置
１３    制御部
１７    操作部
１８    出力部
２０    表示部
２３    画像変換部
【図１】
2010096821.tif 000003
【図２】
2010096821.tif 000004
【図３】
2010096821.tif 000005
【図４】
2010096821.tif 000006